(57)【要約】【課題】船舶のアンカーや底引網などが取水口に接触しても、それらが引っ掛かることによる操船障害を起こさず、さらに、取水口や魚網等の破損を防止する手段を提供する。【解決手段】取水管１が接続された本体２の上部周囲に、２段の水平導流板１１、１２を備え、上段の水平導流板１１が円板状であり、下段の水平導流板１２が中央に開孔部を有する円板状であって、水平導流板１１、１２の外周部に、外側面が円弧断面状である防止リング１３、１４を各々備えると共に、水平導流板１１、１２を、外側面が円弧断面状である支持柱１５で支持する。【選択図】図１
2005256415.tif 000002
【特許請求の範囲】
【請求項１】
取水管が接続された本体の上部周囲に、２段の水平導流板を備え、
上段の水平導流板が円板状であり、下段の水平導流板が中央に開孔部を有する円板状であって、
該２段の水平導流板の外周部に、外側面が円弧断面状である防止リングを各々備えると共に、
該２段の水平導流板を、外側面が円弧断面状である支持柱で支持することを特徴とする、引掛防止型取水口。
【請求項２】
取水管が接続された本体の上部周囲に、２段の水平導流板を備え、
上段の水平導流板が円板状であり、下段の水平導流板が中央に開孔部を有する円板状であって、
該２段の水平導流板の外周部に、全体がドーナツ状であって、外側面が円弧断面状である円形断面の防止リングを各々備えると共に、
該２段の水平導流板を、外側面が円弧断面状である円形断面の支持柱で支持することを特徴とする、引掛防止型取水口。
【請求項３】
防止リングの円弧断面及び支持柱の円弧断面における端部から他端部までの直線距離が、本取水口の設置該当水域における船舶が有するアンカーの最大ギャップよりも大きいものであることを特徴とする、請求項１または請求項２に記載の引掛防止型取水口。
【発明の詳細な説明】
【技術分野】
【０００１】
本発明は、火力・原子力発電所等の冷却水海水、ＬＮＧ気化加熱用海水、ならびにその他海水、淡水を取り込むために海底や湖底、河川等に設置する引掛防止型取水口に関し、特にアンカー等に対する引っ掛かりを防止することができる引掛防止型取水口に関する。
【背景技術】
【０００２】
近年、取水口は、設置コストや維持コスト等を考慮し、なるべく水深の浅い場所に設置することが求められている。
例えば、上層水の影響を受けにくく、水深の浅い場所でも設置可能であり、堆砂等の流入も防止できる取水口として、特許文献１（特開２００１−１２３４３７号公報）に記載の取水口が知られている。
【０００３】
該取水口は、取水管が接続された円筒状の本体の上部周囲に、水平鍔状の導流板を備えると共に、導流板の上方に、導流板との間に取水用の間隔を有するように円板状の蓋を備え、さらに、導流板と蓋との間に、環状の流向制御リングを備えたものである。
【０００４】
そして、取水口を設置する際には、付近を航行する船舶や漁業活動などの障害とならないように、標識塔などを新たに設置することで取水口の設置位置を明示したり、専用の防護柵を取水口の周囲に別途設けるなどの対策を図っている。
【特許文献１】特開２００１−１２３４３７号公報
【発明の開示】
【発明が解決しようとする課題】
【０００５】
しかしながら、新たに標識塔や防護柵を設置すると、かなりの手間やコストを必要とするので、最終的に、取水口の設置コストや維持コストを高める要因になっていた。
ここで、標識塔を設置しても、船舶のアンカーや底引網などが取水口に引っ掛かり、操船障害の原因となる上に、取水口や魚網が破損する問題が生じることもあった。
また、防護柵を設置しても、該防護柵自体に、船舶のアンカーや底引き網などが引っ掛かり、操船障害の原因となる場合もある上に、防護柵や魚網が破損する問題が生じることもあった。
そこで、このような問題を解決する、取水口が望まれていた。
【０００６】
従って、本発明の目的は、船舶のアンカーや底引網などが取水口に接触しても、それらが引っ掛かることによる操船障害を起こさず、さらに、取水口や魚網等の破損を防止する手段を提供することにある。
【課題を解決するための手段】
【０００７】
本発明の課題を解決するための手段は、次のとおりである。
【０００８】
第１に、
取水管が接続された本体の上部周囲に、２段の水平導流板を備え、
上段の水平導流板が円板状であり、下段の水平導流板が中央に開孔部を有する円板状であって、
該２段の水平導流板の外周部に、外側面が円弧断面状である防止リングを各々備えると共に、
該２段の水平導流板を、外側面が円弧断面状である支持柱で支持することを特徴とする、引掛防止型取水口。
第２に、
取水管が接続された本体の上部周囲に、２段の水平導流板を備え、
上段の水平導流板が円板状であり、下段の水平導流板が中央に開孔部を有する円板状であって、
該２段の水平導流板の外周部に、全体がドーナツ状であって、外側面が円弧断面状である円形断面の防止リングを各々備えると共に、
該２段の水平導流板を、外側面が円弧断面状である円形断面の支持柱で支持することを特徴とする、引掛防止型取水口。
第３に、
防止リングの円弧断面及び支持柱の円弧断面における端部から他端部までの直線距離が、本取水口の設置該当水域における船舶が有するアンカーのギャップよりも大きいものであり、アンカーのギャップを１とすると、好ましくは１．５以上、より好ましくは２．０以上であることを特徴とする、上記第１または第２に記載の引掛防止型取水口。
【０００９】
ここで、外側面が円弧断面状である防止リングや、外側面が円弧断面状である支持柱における「外側面」とは、取水口の本体の中心部から外側に向けて形成された面のことであり、要は、設置後にアンカーや魚網等が引っ掛かる可能性のある面のことを示す。
また、「円弧断面状」とは、アンカーや魚網等が引っ掛からないよう、外側に向けて飛び出す滑らかな曲線を取り入れた形状のことをいい、円形の一部としての円弧断面状を採用できる他に、楕円状、放物線状、流線状等の各種の形状を採用することもできる。
【００１０】
なお、上段の水平導流板は、平板鋼板を溶接等でつなぐ方法やコンクリートなどを流し込んで形成することもできる。
さらに、水平導流板と防止リングとを一体的に形成することもできる。
【発明の効果】
【００１１】
本発明の引掛防止型取水口によると、船舶のアンカーや底引網などが取水口に接触しても、それらが引っ掛かることによる操船障害を起こさず、さらに、取水口や魚網等の破損を防止することができる。
そして、本発明の引掛防止型取水口によると、アンカーや魚網が引っ掛かりにくいので、新たに標識塔や防護柵を設置しなくても、取水口を航路や泊地、漁業水域に安全に設置することが可能となる。
従って、本発明の引掛防止型取水口を採用することで、総合的な設置コストの低減を図ることができる。
【発明を実施するための最良の形態】
【００１２】
以下に、本発明の実施の形態について、図面を参照しながら説明する。
【００１３】
図１は、本発明に係る引掛防止型取水口の一部を切り欠いて示す正面図である。
図２は、図１に示す本発明に係る引掛防止型取水口の一部を切り欠いて示す平面図である。
図３は、本発明に係る引掛防止型取水口の要部を拡大して作用の一例を示す平面図である。
図４は、本発明に係る引掛防止型取水口の設置状態を示す正面図である。
図５は、本発明に係る引掛防止型取水口の作用の一例を示す平面図である。
【００１４】
図１に示すように、本発明に係る引掛防止型取水口１０は、取水管１が接続された本体２の上部周囲に、上下２段の水平導流板１１、水平導流板１２を備えている。
上段の水平導流板１１は円板状であって上部デッキの役割を果たし、下段の水平導流板１２は中央に開孔部１２ａを有する円板状であって下部デッキの役割を果たす。
該２段の水平導流板１１、水平導流板１２の外周部には、全体がドーナツ状である防止リング１３、防止リング１４を各々備えている。
防止リング１３、防止リング１４は、外側面が円弧断面状であって、本体２の中心から外側に向かう放射状の縦断面形状が円形を形成するものである。
該２段の水平導流板１１、水平導流板１２は、円柱状の複数の支持柱１５で支持されている。
支持柱１５は、外側面が円弧断面状であって、横断面形状が円形を形成するものである。
【００１５】
なお、図中、番号３は、本体２と支持柱１５の基礎となる円板状のデッキであり、番号４は、上端側の水平導流板１１と、下端側の水平導流板１２との間を連結する円柱状のストラット示している。
該ストラット４は、水平導流板１２の開孔部１２ａの周囲に等間隔で、複数本が設置されている。
【００１６】
ここで、図３に示すように、防止リング１３、防止リング１４の円弧断面及び支持柱１５の円弧断面における端部から他端部までの直線距離Ｌ及びＢは、本取水口の設置該当水域における船舶が有するアンカー１６の最大ギャップＬＧ，ＢＧよりも各々大きいものである。
具体的には、本取水口の設置該当水域における船舶が有するアンカーのギャップＬＧを１とすると、Ｌが、好ましくは１．５以上、より好ましくは２．０以上であり、かつ、アンカーのギャップＢＧを１とすると、Ｂが、好ましくは１．５以上、より好ましくは２．０以上となるように、Ｌ及びＢを決定する。
【００１７】
次に、上記の引掛防止型取水口１０の作用について説明する。
【００１８】
上記の引掛防止型取水口１０は、図４に示すように、防止リング１４より下部を海底に埋め込むようにして設置する。
【００１９】
なお、図示は省略するが、特に水深が浅い箇所に設置する場合には、設置箇所の海底面全体を掘り下げてから、引掛防止型取水口１０の防止リング１４より下部を埋め込むことで設置することもできる。
【００２０】
設置後、アンカー１６が、近くに投げ込まれ、海底を引きずられた場合であっても、図４や図５に示すように、引掛防止型取水口１０の防止リング１４や防止リング１３の他に、支持柱１５にアンカー１６が引っ掛からない。
従って、本発明の引掛防止型取水口１０を設置することで、船舶の運航の障害とならず、引掛防止型取水口１０自体の破損も防止できる。
【００２１】
ここで、アンカー１６と、引掛防止型取水口１０の防止リング１４や防止リング１３及び支持柱１５との関係は、図３に示すように、アンカー１６のギャップＬＧ、ＢＧより大きく形成されている。
従って、アンカー１６の向きによらずに、アンカー１６が引掛防止型取水口１０の防止リング１４や防止リング１３及び支持柱１５に引っ掛かることを防止できる。
【図面の簡単な説明】
【００２２】
【図１】本発明に係る引掛防止型取水口の一部を切り欠いて示す正面図
【図２】図１に示す本発明に係る引掛防止型取水口の一部を切り欠いて示す平面図
【図３】本発明に係る引掛防止型取水口の要部を拡大して作用の一例を示す平面図
【図４】本発明に係る引掛防止型取水口の設置状態を示す正面図
【図５】本発明に係る引掛防止型取水口の作用の一例を示す平面図
【符号の説明】
【００２３】
１  取水管
２  本体
３  デッキ
４  ストラット
１０  引掛防止型取水口
１１  水平導流板
１２  水平導流板
１２ａ  開孔部
１３  防止リング
１４  防止リング
１５  支持柱
１６  アンカー
【図１】
2005256415.tif 000003
【図２】
2005256415.tif 000004
【図３】
2005256415.tif 000005
【図４】
2005256415.tif 000006
【図５】
2005256415.tif 000007